(57)【要約】【課題】合成映像の制作時において、仮想対象物の高さ等の位置情報や仮想対象物の動き等の動作情報を出演者が目視できるように表示する表示装置を提供することを目的とする。【解決手段】本発明に係る表示装置１００は、クロマキー処理を用いた合成映像の制作時において、出演者が目視可能な被写体位置情報を表示するためのものであり、被写体位置情報を示す複数の光源を内部に配置した筒状体１と、筒状体１を支持する支持体２と、光源の点灯及び消灯を制御する制御部３と、を備え、筒状体１及び支持体２の外装側がクロマキーバックと同色で形成されている。そして、光源６が、クロマキーバックと同色に検出される光量で点灯するか、またはクロマキー処理に影響を与えない撮影カメラの非撮影期間内に点灯する。【選択図】図１
2011014972.tif 000002
【特許請求の範囲】
【請求項１】
クロマキー処理を用いた合成映像の制作時において、出演者が目視可能な被写体位置情報を表示するための表示装置であって、
前記被写体位置情報を示す複数の光源を内部に配置した筒状体と、
前記筒状体を支持する支持体と、
前記光源の点灯及び消灯を制御する制御部と、を備え、
前記筒状体及び前記支持体の外装側が、前記クロマキー処理で用いられるクロマキーバックと同色で形成され、
前記光源は、前記クロマキーバックと同色に検出される光量で点灯するか、または前記クロマキー処理に影響を与えない撮影カメラの非撮影期間内に点灯することを特徴とする表示装置。
【請求項２】
前記筒状体は、前記光源から照射された光を透過する透過領域と、前記光源から照射された光を遮断する遮断領域と、を有することを特徴とする請求項１に記載の表示装置
【請求項３】
前記支持体は、
前記筒状体を床面に立設させるように支持する支持本体と、
前記支持本体の底部に取り付けられた車輪部と、
前記支持本体の床面側となる端部周縁に所定間隔で設けた消影用ランプと、を有し、
前記消影用ランプは、前記クロマキー処理で用いられるクロマキーバックと同色の光で点灯することを特徴とする請求項１または請求項２に記載の表示装置。
【請求項４】
前記支持体は、前記筒状体を天井側に吊り下げる吊下支持体であり、
前記吊下支持体は、前記クロマキー処理で用いられるクロマキーバックと同色または透明色で形成されたことを特徴とする請求項１または請求項２に記載の表示装置。
【請求項５】
前記筒状体は、可撓性を有する素材で形成されたことを特徴とする請求項３または請求項４に記載の表示装置。
【請求項６】
前記制御部は、前記光源の点灯及び消灯に関する信号であるワイヤレス信号を受信する無線受信部を備え、
前記ワイヤレス信号に基づいて、前記光源の点灯及び消灯を制御することを特徴とする請求項１から請求項５のいずれか１項に記載の表示装置。
【発明の詳細な説明】
【技術分野】
【０００１】
本発明は、クロマキー処理を用いた合成映像の制作時において、出演者が目視可能な被写体位置情報を表示する表示装置に関する。
【背景技術】
【０００２】
テレビや映画等の撮影現場では、現実では撮影不可能なシーンの収録や作業効率の向上のために、クロマキー（Ｃｈｒｏｍａ  ｋｅｙ）処理といわれる合成映像の処理が行われる。クロマキー処理（クロマキー合成）とは、前景となる映像内の青や緑等の単色の映像領域に、他の映像を背景として合成することであり、通常、青や緑等の背景を有する撮影ショットから、前景にある対象物を抽出し、新しい背景を含む別のショットと合成する処理のことをいう。
【０００３】
このようなクロマキー処理が行われる合成映像の制作現場においては、テレビや映画等の出演者の合成用キー信号を生成するために、床や壁が青色等の単色に染められた特殊なスタジオで撮影を行なうが、その際に、出演者は合成される被写体（対象）をスタジオ内で直接見ることができない。従って、出演者は、合成される被写体を想像しながら、何もない空間に向って話しかける演技をしなければならなかった。
【０００４】
そのため、従来から非特許文献１にあるようないわゆる「場ミリ」と呼ばれる手法が用いられていた。「場ミリ」とは、スタジオの床や壁に、これらと同色のテープ等を貼り付けて、合成される対象の位置等を示す目印として用いる手法であり、出演者は、この「場ミリ」が張られた位置を合成される被写体の位置と想定して、演技を行なっていた。
【０００５】
また、特許文献１には、上記「場ミリ」の代わりに照明光を用い、テレビカメラによる被写体像の取り込みから次の被写体像の取り込みの間に照明光を照射することで、当該照射光をテレビカメラに映らないように出演者に指示を行なう照明方法が記載されている。
【０００６】
さらに、特許文献２には、上記「場ミリ」の代わりに出演者に対する具体的な指示を投影した映像を用い、テレビカメラによる撮影期間を除く期間に間欠的に前記投影映像を表示することで、当該投影映像をテレビカメラに映らないように出演者に指示を行なう表示装置が記載されている。
【０００７】
また、特許文献３には、上記「場ミリ」の代わりにクロマキー処理によって合成される実際の合成映像を用い、テレビカメラによる撮影期間を除く期間に前記合成映像を表示することで、当該合成映像をテレビカメラに映らないようにし、出演者に演技を行なわせる時分割表示装置が記載されている。
【先行技術文献】
【特許文献】
【０００８】
【特許文献１】特許第４０４７５５４号公報
【特許文献２】特許第４０４７６２２号公報
【特許文献３】特開２００７−３１６１２７号公報
【非特許文献】
【０００９】
【非特許文献１】ウィキメディア財団、フリー百科事典「ウィキペディア（Wikipedia）」、[２００９年５月２５日検索]、インターネット、＜http://ja.wikipedia.org/wiki/%E6%A5%AD%E7%95%8C%E7%94%A8%E8%AA%9E＞
【発明の概要】
【発明が解決しようとする課題】
【００１０】
しかしながら、非特許文献１に係る方法では、撮影映像に「場ミリ」が映ってしまう場合があった。また、複数の「場ミリ」が設置されていると、出演者がどれを見ればよいかを瞬時に判断できず、出演者に対する正確な指示が困難であるという問題があった。
【００１１】
また、高さ方向の情報を表示するために、例えばスタジオの床や壁と同色のポールに「場ミリ」を貼ると、背景と同化してしまうため出演者にとって視認性が悪い場合があった。さらに、合成対象物が移動する場合に「場ミリ」を移動させることができず、出演者の目線が常に固定されて撮影映像が不自然になるという問題があった。
【００１２】
特許文献１の照明方法では、明るいスタジオ内での視認性を上げるためにレーザポインタを用いることとなるが、対面する人物を示すような場合（合成される被写体が人間である場合）には、その場所にレーザポインタを当てる対象物を設置しなければならない。また、誤って出演者の眼に照射されると演技に支障をきたし、さらに安全の観点からも好ましくないという問題があった。
【００１３】
特許文献２の表示装置では、明るいスタジオ照明下では十分な視認性を確保することができないという問題があった。
【００１４】
特許文献３の時分割表示装置では、映像を投射するための装置自体が大型化し、操作運用面の観点から利用しにくいという問題があった。
【００１５】
本発明はかかる点に鑑みてなされたものであって、合成映像の制作時において、仮想対象物の高さ等の位置情報や仮想対象物の動き等の動作情報を出演者が目視できるように表示する表示装置を提供することを目的とする。
【課題を解決するための手段】
【００１６】
前記課題を解決するために請求項１に係る表示装置は、クロマキー処理を用いた合成映像の制作時において、出演者が目視可能な被写体位置情報を表示するための表示装置であって、前記被写体位置情報を示す複数の光源を内部に配置した筒状体と、前記筒状体を支持する支持体と、前記光源の点灯及び消灯を制御する制御部と、を備え、前記筒状体及び前記支持体の外装側が、前記クロマキー処理で用いられるクロマキーバックと同色で形成され、前記光源は、前記クロマキーバックと同色に検出される光量で点灯するか、または前記クロマキー処理に影響を与えない撮影カメラの非撮影期間内に点灯する構成とする。
【００１７】
このような構成を備えることにより、表示装置は、クロマキーバックと同色の支持体に筒状体が支持され、制御部が光源を点灯させることにより、所望の空間に合成される被写体の位置情報を表示することができる。そして出演者は点灯している光を見ることにより、視線のあった自然な演技を行なうことができる。
また、表示装置がクロマキーバックと同色で形成され、かつ、表示装置の光源が照射する光が撮影カメラで撮影できない間欠光であるため、表示装置はクロマキーバックと同化し、光源が照射する光は撮影カメラで撮影されない。
【００１８】
また、請求項２に係る表示装置は、前記筒状体は、前記光源から照射された光を透過する透過領域と、前記光源から照射された光を遮断する遮断領域と、を有する構成とする。
【００１９】
このような構成を備えることにより、表示装置は、筒状体を透過領域と遮断領域とから構成することで、筒状体内部の光源から照射される光の光量をクロマキー処理に適した光量に調整することができる。
【００２０】
また、請求項３に係る表示装置は、前記支持体が、前記筒状体を床面に立設させるように支持する支持本体と、前記支持本体の底部に取り付けられた車輪部と、前記支持本体の床面側となる端部周縁に所定間隔で設けた消影用ランプと、を有し、前記消影用ランプは、前記クロマキー処理で用いられるクロマキーバックと同色の光で点灯する構成とする。
【００２１】
このような構成を備えることにより、表示装置は、車輪部により支持体を移動することができる。また、表示装置に車輪部を設けることで生じた支持体と床面との間の高さを原因とする影に対して、消影用ランプがクロマキーバックと同色で点灯することにより、クロマキーバックと同化させることができる。
【００２２】
また、請求項４に係る表示装置は、前記筒状体が、可撓性を有する素材で形成され、前記支持体は、前記筒状体を天井側に吊り下げる吊下支持体であり、前記吊下支持体は、前記クロマキー処理で用いられるクロマキーバックと同色または透明色で形成された構成とする。
【００２３】
このような構成を備えることにより、表示装置は、筒状体を天井側から吊下支持体で吊るして支持すると、例えば目標となる光源位置を制御部により連続的に変化させることで、被写体位置の移動する経路を表示することができる。
【００２４】
また、請求項５に係る表示装置は、前記筒状体が、可撓性を有する素材で形成された構成とする。
【００２５】
このような構成を備えることにより、表示装置は、可撓性を有する筒状体により、被写体となる筒状体の形状を変化させることができ、また、被写体位置の移動する経路を自由に表示することができる。
【００２６】
また、請求項６に係る表示装置は、前記制御部が、前記光源の点灯及び消灯に関する信号であるワイヤレス信号を受信する無線受信部を備え、前記ワイヤレス信号に基づいて、前記光源の点灯及び消灯を制御する構成とする。
【００２７】
このような構成を備えることにより、表示装置は、表示装置の光源の点灯及び消灯をワイヤレスで制御することができる。従って、機器間のケーブルを合成後の映像から除去する手間を省略することができる。
【発明の効果】
【００２８】
請求項１に係る表示装置によれば、出演者は、表示装置の光源の位置を見ることにより、クロマキー処理によって合成される被写体の位置情報を確認することができる。すなわち、合成映像の制作時において、出演者は正しい位置に視線を向けることが可能となり、合成映像の品質が向上する。また、制御部によって任意のタイミングで光源を点灯させたり、点滅させたりすることで、出演者に対して、位置情報だけではなく、動き始めのタイミングや演技のきっかけ等の指示も提供することができ、合成される被写体の動きに合わせた自然な演技やカメラワークが可能となる。したがって、合成映像の品質が向上する。
また、光源から照射される光の色を赤やオレンジ等のクロマキー処理にあまり適さない色とした場合であっても、光源を間欠点灯させることによって撮影カメラに映らなくなるため、クロマキー処理に悪影響を及ぼすことがない。
【００２９】
請求項２に係る表示装置によれば、筒状体を透過する光源の光の光量を調節することで、容易にクロマキー処理を行うことができる。
【００３０】
請求項３に係る表示装置によれば、クロマキー処理によって合成される被写体の高さに関する情報を出演者に対して表示することができる。また、消影用ランプによって、合成映像に悪い影響を及ぼすスタジオ照明による影を消去することで、当該影を隠すための布やパネルの装着作業や、別のスタジオ照明照射による影の除去作業、撮影映像に映った影の除去作業が不要となり、作業効率を向上させることが可能となる。
【００３１】
請求項４に係る表示装置によれば、クロマキー処理によって合成される被写体の高さ及び位置、そして移動経路に関する情報を表示することができる。すなわち、合成される被写体が空中に存在する場合であっても、出演者は正しい位置に視線を向けることが可能となり、合成映像の品質が向上する。
【００３２】
請求項５に係る表示装置によれば、光源を内部に配置した筒状体を被写体の移動経路に沿って変形させることにより、クロマキー処理によって合成される被写体の高さ及び位置、そして移動経路に関する情報をより忠実に表示することができる。従って、出演者は正しい位置に視線を向けることが可能となり、合成映像の品質が向上する。
【００３３】
請求項６に係る表示装置によれば、様々なケーブルが交差するとともに、多くの精密機器が用いられる撮影スタジオ内において、表示装置の運用性を向上させるとともに、ケーブルと出演者またはカメラとの接触を防止することができるため、撮影時の安全性を向上させることができる。
【図面の簡単な説明】
【００３４】
【図１】本発明に係る表示装置の第１実施形態を示す斜視図である。
【図２】図１のＡ部拡大図であり、本発明に係る表示装置における筒状体と光源の構成について、一部を省略して示す図である。
【図３】図１のＢ部拡大図であり、本発明に係る表示装置における筒状本体のメッシュ構造について、一部を省略して示す平面図である。
【図４】本発明に係る表示装置の構成の一例を示すブロック図である。
【図５】本発明に係る表示装置の第１実施形態の使用状態を示す図であり、（ａ）は、第１実施形態に係る表示装置を実際の撮影スタジオで使用した場合の概略図、（ｂ）は、クロマキー処理後の合成映像の概略図である。
【図６】本発明に係る表示装置の第２実施形態を示す図であり、（ａ）は、第２実施形態に係る表示装置の構成を示す斜視図、（ｂ）は、第２実施形態に係る表示装置によって表示する被写体のイメージ図である。
【図７】本発明に係る表示システムを示す斜視図である。
【発明を実施するための形態】
【００３５】
本発明を実施するための形態について、図面を参照しながら説明する。
図１，２に示すように、本発明に係る表示装置１００は、筒状体１と、光源６が点灯することにより形成される点灯部１ａと、筒状体１を支持する支持本体２ａを備える支持体２と、点灯部１ａの点灯及び消灯を制御する制御部３と、を主な構成として備えており、支持本体２ａの底部に取り付けられた車輪部２ｂと、支持本体２ａの床面側端部に設けられた消影用ランプ２ｃとを付加的な構成として備えている。以下、各構成について詳細に説明する。
【００３６】
表示装置１００は、テレビや映画等におけるクロマキー処理を用いた合成映像の制作時に、出演者が目視可能な被写体位置情報を表示するためのものである。ここで、被写体位置情報とは、例えば合成される被写体の高さや位置等の情報のことをいう。表示装置１００は、合成される被写体の高さに合わせて後記する光源６を点灯させることにより、被写体位置情報を表示することができる。そして、出演者は、当該被写体位置情報を見ながら演技することで、合成後の映像において自然でリアルな演技を行なうことができる。
【００３７】
表示装置１００の光源６に対する点灯の指示は、後記する無線制御装置５（図７参照）によりワイヤレスで行なうことが好ましい。このように光源６に対する点灯の指示をワイヤレスで行なうことにより、様々なケーブルが交差するとともに、多くの精密機器が用いられる撮影スタジオ内における表示装置１００の運用性が向上する。なお、光源６に対する点灯の指示を有線で行う場合は、表示装置１００と、光源６の点灯を指示するための制御装置との間のケーブルをクロマキーバックと同色で形成する。もしくは、クロマキーバックと同色のカバーやテープ等により覆い隠すことで、合成に影響を及ぼさなくなる。
【００３８】
筒状体１は、図１に示すように、後記する支持本体２ａによって立設されるように支持された円筒状の部材である。筒状体１の内部には、複数の光源６が配置されており、当該光源６は、後記するように、合成される被写体の高さに合わせて点灯するように制御部３によって制御されている。なお、複数の光源６は、表示したい被写体位置に合わせて、筒状体１の内部に一定の間隔あるいは、ランダムに配置することができる。また、筒状体１は、クロマキー処理で用いられるクロマキーバックと同色の素材で形成されるか、同色に着色されているため、クロマキー処理によって容易に除去することができる。筒状体１は、点灯部１ａを１つまたは複数有しており、また、１ａは内部に光源取付部材１ｂと、芯材１ｄと、筒状本体１ｅと、を備えている。
【００３９】
点灯部１ａは、筒状体１内部の光源取付部材１ｂと芯材１ｄとによって仕切られた空間内を、光源６が点灯することで形成されるものである。
光源６は、図２に示すように、合成される被写体の高さに合わせて点灯することで、被写体の高さに関する被写体位置情報を表示するものである。光源６は、例えばＬＥＤ等の小型照明灯体から構成されており、筒状体１の内部に複数配置されている。
【００４０】
光源６は、ここでは、後記する光源取付部材１ｂの底部に、下方向に向けて２つ配置されるとともに、光源取付部材１ｂの上部に、上方向に向けて２つ配置されている。また、光源６は、図２に示す上段の光源取付部材１ｂの底部に配置された光源６と、下段の光源取付部材１ｂの上部に配置された光源６とが９０度ずれるように配置されている。そして、光源６は、この８つを一セットにして、例えば、筒状体１の軸方向に１３段分の点灯部１ａ（光源取付部材１ｂが１４枚、光源６は５２個）が配置される場合、最上段の光源取付部材１ｂには底部のみに、最下段の光源取付部材１ｂには上部のみに光源６が配置される。
【００４１】
光源６は、後記する制御部３から点灯指示が送られると、合成される被写体の高さに合わせて、前記した上段の光源取付部材１ｂの底部に配置された光源６と、下段の光源取付部材１ｂの上部に配置された光源６とが同時に点灯する。その際、上段の光源取付部材１ｂの底部に配置された光源６から下方向に照射された光は、下段の光源取付部材１ｂの上部に反射して拡散する。また、下段の光源取付部材１ｂの上部に配置された光源６から上方向に照射された光は、上段の光源取付部材１ｂの底部に反射して拡散する。そして、この拡散した光は、後記する筒状本体１ｅから外部に向ってリング状に点灯部１ａとして照射される。
【００４２】
光源６は、クロマキー処理に用いられるクロマキーバックと同色の色をクロマキーバックと同色に検出される光量で光を照射するように構成するか、クロマキー処理に影響を与えない撮影カメラの非撮影期間内に光を照射するように構成するここで、クロマキーバックとは、合成映像の撮影時における撮影スタジオの背景色（床や壁の色）のことを指し、例えば青色、または緑色等が挙げられる。
【００４３】
本発明に係る表示装置１００では、光源６からクロマキーバックと同色の光をクロマキーバックと同色に検出される光量で照射させることで、光源６を連続して点灯した状態であっても、光源６から照射された光をクロマキーバックと同化させ、適切にクロマキー処理を行うことができる。また、光源６から、クロマキー処理に影響を与えない撮影カメラの非撮影期間内に光を照射させることで、後記するように撮影カメラに当該光が映らないようにすることができる。従って、光源６は、出演者には目視することができるが、合成後の映像には残らない光を照射することができ、クロマキー処理に悪影響を与えずに、被写体位置情報を表示することができる。なお、撮影カメラの非撮影期間における間欠点灯については後記する。
【００４４】
なお、本発明に係る表示装置１００を用いたクロマキー処理においては、クロマキーバックを青色とした上で、光源６から照射する光を青色にすることがさらに好ましい。光源６としてクロマキー処理に適した青色を用いることで、光源６の光をクロマキーバックに同化させることができるためである。なお、クロマキーバックと同色とは、例えばクロマキーバックが青色の時、青色の同系色となる藍・青緑であっても、実際に表示してクロマキー処理に使用できる色であればよい。
【００４５】
光源取付部材１ｂは、図２に示すように、複数の光源６を周方向に配置するための円盤板状の部材であり、後記する芯材１ｄの軸方向に複数挿通して取り付けられている。光源取付部材１ｂは、光を反射する白色の素材で形成されるか、白色に着色されている。また、側面は、クロマキーバックと同色とする。
【００４６】
光源取付部材１ｂは、軸方向の内側に形成された光源６が点灯すると、その光を内部で反射して拡散させる。そして、その光は筒状本体１ｅを透過して外周方向にリング状に点灯部１ａとして照射される。すなわち、筒状体１は、光源取付部材１ｂで仕切ることによって、図１に示すように、光源６から照射された光を透過する透過領域、すなわち点灯部１ａと、光源６から照射された光を遮断する遮断領域とを、筒軸方向に形成することができる。そして、光源６の光を透過領域から外部に照射することにより、合成される被写体の位置情報を表示することができる。
【００４７】
ここで、上段と下段の光源取付部材１ｂの間隔は、リング状に照射される光の縦方向の厚さが１２〜１７ｍｍとなるように調節することが好ましい。リング状に照射される光の縦方向の厚さが１２ｍｍ未満だと、リングが細すぎて視認性が低下する。一方、１７ｍｍを超えると、光が照射される空間が広くなり、視認性が低下し、特定が困難となる場合がある。
【００４８】
芯材１ｄは、筒状体１の内部に挿通させて、光源取付部材１ｂを軸方向に複数取り付けるための部材である。芯材１ｄは、例えば図２に示すように、角柱状に形成された部材で構成することができるが、その断面形状は問わない。
【００４９】
筒状本体１ｅは、光源６、光源取付部材１ｂ、芯材１ｄを外側からカバーするとともに、光源６から照射された光を遮断あるいは外部に透過させる部材である。筒状本体１ｅの素材としては、例えば、ポリ塩化ビニルを用いることができる。
【００５０】
次に、図３を参照して、筒状本体１ｅの詳細について説明する。
筒状本体１ｅは、ここでは、光源６から照射された光を遮断する遮断部１ｆと、光源６から照射された光を透過する透過部１ｇとからなるメッシュ構造の光抑制シートを備えている。
【００５１】
遮断部１ｆは、クロマキー処理で用いられるクロマキーバックと同色の素材で形成されるか、あるいは、同色に着色されており、筒状本体１ｅ内部の光源６から照射された光を遮断する。
【００５２】
透過部１ｇは、複数の微細な孔から均一に構成されており、当該孔を通じて、筒状本体１ｅ内部の光源６から照射された光を遮断することなく透過させる。出演者は、透過部１ｇを透過して外部に照射された光を見ることで、合成される被写体の位置情報を容易に認識することができる。
【００５３】
図３を平面視した場合における透過部１ｇの開口横長さａ−ａ’は、例えば０．６〜１．２ｍｍが好ましく、透過部１ｇの開口縦長さｂ−ｂ’は、例えば０．３〜０．９ｍｍが好ましい。また、透過部１ｇの間のピッチｃ−ｃ’及び ｄ−ｄ’は、１．５〜２．５ｍｍが好ましい。遮断部１ｆと透過部１ｇとの関係を当該範囲内とすることにより、筒状本体１ｅから外部に照射される光の量を適切に調整するとともに、撮影カメラにより筒状本体１ｅを撮影しても、合成時に筒状本体１ｅを適切に除去することができる。
【００５４】
遮断部１ｆと透過部１ｇの面積比は、１０：０．８〜２．０で、かつ透過部１ｇの面積は０．４〜０．５ｍｍ２とすることが好ましい。ここで、この面積比と面積は、当該面積比及び面積から構成される筒状本体１ｅの内部で光源６を点灯させた場合に、点灯の視認性を確保するとともに、光源６が点灯していないときでも、筒状本体１ｅをクロマキー処理で適切に除去することができる、遮断部１ｆと透過部１ｇの面積比及び透過部１ｇの面積である。
【００５５】
すなわち、遮断部１ｆの面積を１０とした場合の透過部１ｇの面積が２．０を超える、または透過部１ｇの面積が０．５ｍｍ２を超える場合、撮影カメラに撮影された透過部１ｇがクロマキー処理を行っても除去されず、合成映像に悪影響を与える可能性がある。一方、遮断部１ｆの面積を１０とした場合の透過部１ｇの面積が０．８未満、または透過部１ｇの面積が０．４ｍｍ２未満の場合、透過される光量が低くなり、出演者が被写体の位置情報を確認することが困難となる可能性がある。なお、光源６により高輝度な素材を用いることにより、透過部１ｇの面積比または面積をより下げることも可能である。
【００５６】
ここで、光源６は、クロマキー処理で除去できるように、クロマキー処理に悪影響を及ぼさない光量で点灯させることが好ましい。ここで、クロマキー処理に悪影響を及ぼさない光量とは、光源６を点灯してもクロマキー処理の際にクロマキーバックと同化し、合成に悪影響を与えることない光量のことをいう。当該光量は、予めクロマキーバックで青色の光源を点灯させて、カメラで認識できない光量（光量の上限）を設定し、かつ、その設定した光量から、出演者が認識できる光量（光量の下限）を設定することでその範囲を確認することができる。
【００５７】
この光量の上限と下限は、前記したように、筒状本体１ｅの遮断部１ｆと透過部１ｇの大きさを所定範囲内とすることで、調整することができる。すなわち、前記したように、図３を平面視した場合における透過部１ｇの開口横長さａ−ａ’を、例えば０．６〜１．２ｍｍ、透過部１ｇの開口縦長さｂ−ｂ’を例えば０．３〜０．９ｍｍとし、さらに、透過部１ｇの間のピッチｃ−ｃ’及び ｄ−ｄ’を１．５〜２．５ｍｍとすることで、調整することができる。なお前記したように、その際の遮断部１ｆと透過部１ｇの面積比は、１０：０．８（光の下限）〜２．０（光の上限）で、かつ透過部１ｇの面積は、０．４〜０．５ｍｍ２とすることが好ましい。
【００５８】
このように筒状本体１ｅの遮断部１ｆと透過部１ｇの大きさを所定範囲内に調整して光源６の光量をクロマキーバックと同色に検出される光量とすることにより、光源６をクロマキーバックと同色で常時点灯させても、クロマキー処理を行うことができる。
【００５９】
そして、本発明に係る表示装置１００は、前記したように筒状本体１ｅを遮断部１ｆと透過部１ｇとのメッシュ構造に形成することにより、光源６を点灯していないときでも、筒状本体１ｅをクロマキーバックと同化させて適切にクロマキー処理を行うことができ、また、光源６を点灯したときには、高い視認性をもって位置情報を得ることができる。
【００６０】
図１に戻って、本発明に係る表示装置１００の残りの構成について説明する。
支持体２は、筒状体１を支持する部材であり、ここでは、支持本体２ａと、車輪部２ｂと、消影用ランプ２ｃとを備えている。
【００６１】
支持本体２ａは、図１に示すように、筒状体１を床面に立設させるように支持する部材である。支持本体２ａは、先端を平面に切り欠いた四角錐状に形成されている。支持本体２ａは、表示装置１００の移動を容易にするために、プラスチック等の軽量な素材で形成することが好ましい。また、支持本体２ａは、クロマキー処理で除去するために、クロマキーバックと同色の素材で形成されるか、あるいは、同色に着色されている。
【００６２】
車輪部２ｂは、支持本体２ａの底部に取り付けられた部材であり、本発明に係る表示装置１００を移動自在とするものである。車輪部２ｂは、例えば図１に示すように、底部に４つ取り付けることができる。クロマキー処理が行われるテレビや映画等の撮影現場では、作業効率向上のために、撮影に使用する表示装置１００を速やかに移動させる必要がある。従って、車輪部２ｂを設けることにより、撮影現場における作業効率を向上させることができる。
【００６３】
消影用ランプ２ｃは、筒状体１及び支持体２により発生する影Ｗをクロマキー処理で取り除きやすくするために、当該影Ｗに向って、クロマキーバックと同色の光（例えば青色の光）を照射するものである。消影用ランプ２ｃは、図１に示すように、下方、すなわち影Ｗに向けて、光を照射できるように、支持本体の２ａの床面側となる端部周縁に、下方に向けて所定間隔で設けられている。なお、必要な所定間隔とは、照明の照射によるムラを生じないための照明密度のことである。
【００６４】
撮影現場では、図１に示すように、支持体２を原因とする影Ｗが発生するが、消影用ランプ２ｃを設けてクロマキーバックと同色の色を照射することにより、クロマキー処理では影Ｗが除去されて、合成映像には残らない。なお、消影用ランプ２ｃは、後記するように撮影カメラの撮影期間のみクロマキーバックと同色で点灯させるように間欠点灯させることにより、電力消費を抑えながら影Ｗをクロマキーバックに同化させることもできる。
【００６５】
なお、本発明に係る表示装置１００では、図１の筒状体１と支持本体２ａとの間の隙間２ｄに隙間影が発生する場合も考えられるが、この場合は、例えば筒状体１の下方の端部周辺に別途消影用ランプを設けて、当該隙間影にクロマキーバックと同色の色を照射し、クロマキー処理によって除去することもできる。
【００６６】
制御部３は、光源６及び消影用ランプ２ｃの点灯及び消灯を制御するものである。制御部３は、図１に示すように、例えば支持本体２ａの内部に設けられるが、筒状体１の内部に設けても構わない。
【００６７】
制御部３は、光源６が間欠的に点灯するように制御することもできる。すなわち、電子シャッター機能を用いた撮影カメラの撮影期間に光源６を消灯し、撮影カメラの非撮影期間に光源６が点灯するように、光源６を制御することで、撮影カメラによって光源６の光を撮影できないように構成することができる。
【００６８】
本発明に係る表示装置１００は、このように構成することによって、光源６から照射される光の色を、赤やオレンジ等のクロマキー処理にあまり適さない色とした場合であっても、クロマキー処理に悪影響を及ぼさないようにすることができる。また、クロマキーバックと同色で点灯する場合でも、クロマキー処理に影響を及ぼすような明るさで光源６を点灯させる場合であっても、撮影カメラの非撮影期間のみ間欠点灯させることで、クロマキー処理に影響を及ぼすことなく、視認性の向上を図ることができる。
【００６９】
本発明に係る表示装置１００は、このような構成を備えることにより、合成される被写体の高さ方向の位置に合わせて、光を全方向に対してリング状に照射することができる。従って、出演者は表示装置１００を３６０度どの角度から見ても、被写体位置情報を目視することができる。そして、出演者は、当該光源６から照射された光を合成される被写体の高さ（例えば被写体が人間であれば、人間の目や背の高さ）と想定することで、正しい位置に視線を向けることが可能となり、リアルで自然な演技を行なうことができる。
【００７０】
次に、図４を参照して、光源６あるいは消影用ランプ２ｃを間欠点灯させる場合における制御部３の構成について説明する。制御部３は、ここでは情報提示制御部３ａと、間欠点灯制御部３ｂとから構成される。
【００７１】
情報提示制御部３ａは、撮影カメラの同期信号Ｅと、光源６を点灯させるための制御信号Ｆから、情報提示制御信号Ｉを生成するものであり、ここでは垂直同期分離回路３１と、エンコーダ３２と、パラレルシリアル変換回路３３と、を備えている。
【００７２】
垂直同期分離回路３１は、撮影カメラの同期信号Ｅから垂直同期信号Ｇを分離して生成するものである。ここで、同期信号Ｅは、ＮＴＳＣやハイビジョンなど、ビデオ映像のフレーム相互の同期を取るための基準信号であり、撮影フィールドを規定する垂直同期信号と、水平方向の信号折り返しを規定する水平同期信号とから構成される。
【００７３】
エンコーダ３２は、制御信号Ｆから複数ある光源６のどれを点灯させるかについての信号である点灯制御信号Ｈを生成するものである。ここで、制御信号Ｆは、撮影現場のスタッフが図示しないスイッチ等を任意のタイミングで押下することで生成されるか、あるいは、図示しないタイミング装置により任意のタイミングで自動的に生成される信号である。
【００７４】
パラレルシリアル変換回路３３は、垂直同期信号Ｇと点灯制御信号Ｈを混合して情報提示制御信号Ｉを生成するものである。なお、間欠点灯させるための制御部３の構成は、ここで説明するものに限定されるものではなく、既に知られている構成であっても問題ない。
【００７５】
間欠点灯制御部３ｂは、情報提示制御信号Ｉによって、複数ある光源６のいずれかを撮影カメラの非撮影期間のみ間欠点灯させるものであり、ここではシリアルパラレル変換回路３４と、垂直同期生成回路３５と、デコーダ３６と、光源用ドライバ３７と、消影用ランプ用ドライバ３８と、を備えている。
【００７６】
シリアルパラレル変換回路３４は、情報提示制御信号Ｉを同期信号Ｊと点灯制御信号Ｋに分離するものである。また、垂直同期生成回路３５は、同期信号Ｊから垂直同期信号Ｌを生成するものである。また、デコーダ３６は、点灯制御信号Ｋから、どの光源６を点灯させるかについての信号である点灯制御信号Ｍを生成するものである。
【００７７】
光源用ドライバ３７は、垂直同期信号Ｌと点灯制御信号Ｍを混合して光源制御信号Ｐを生成するものである。また、消影用ランプ用ドライバ３８は、垂直同期信号Ｌから消影用ランプ制御信号Ｎを生成するものである。
【００７８】
次に、光源６あるいは消影用ランプ２ｃを間欠点灯させる場合における制御手順について詳細に説明する。
まず、図示しない撮影カメラから垂直同期分離回路３１に対して同期信号Ｅが、エンコーダ３２に対して制御信号Ｆが入力される。垂直同期分離回路３１は、同期信号Ｅから垂直同期信号Ｇを分離して生成し、パラレルシリアル変換回路３３に入力する。また、エンコーダ３２は、制御信号Ｆから点灯制御信号Ｈを生成し、パラレルシリアル変換回路３３に入力する。
【００７９】
パラレルシリアル変換回路３３は、垂直同期信号Ｇと点灯制御信号Ｈを混合し、情報提示制御信号Ｉを生成する。そして、情報提示制御信号Ｉを間欠点灯制御部３ｂのシリアルパラレル変換回路３４に入力する。シリアルパラレル変換回路３４は、情報提示制御信号Ｉを同期信号Ｊと点灯制御信号Ｋとに分離し、それぞれを垂直同期生成回路３５とデコーダ３６に入力する。
【００８０】
垂直同期生成回路３５は、同期信号Ｊから垂直同期信号Ｌを生成し、光源用ドライバ３７及び消影用ランプ用ドライバ３８に入力する。また、デコーダ３６は、点灯制御信号Ｋから、点灯制御信号Ｍを生成し、光源用ドライバ３７に入力する。
【００８１】
光源用ドライバ３７は、垂直同期信号Ｌと点灯制御信号Ｍを混合して光源制御信号Ｐを生成し、各光源６に入力する。そして、点灯制御信号Ｍが指示する位置にある光源６は、垂直同期信号Ｌのタイミングを基に求められる、撮影カメラの非撮影期間のみ点灯するように、間欠点灯制御する。
【００８２】
消影用ランプ用ドライバ３８は、垂直同期信号Ｌから消影用ランプ制御信号Ｎを生成して消影用ランプ２ｃに入力する。そして、消影用ランプ２ｃは、消影用ランプ制御信号Ｎのタイミングを基に求められる、撮影カメラの撮影期間のみ点灯するように、間欠点灯制御して、図１の影をクロマキーバックと同色にする。また、光量調整装置４によって光量調整信号Ｏが消影用ランプ用ドライバ３８に入力されることで、消影用ランプ２ｃの光量を調整することができる。
【００８３】
以下、図５を参照して本発明に係る表示装置１００を撮影スタジオで実際に使用した場合の使用例について説明する。
図５（ａ）に示すように、撮影スタジオの壁と床は、クロマキーバックを構成するブルーバック６０で覆われている。また、表示装置１００は、ブルーバック６０と同色の青色で形成されている。出演者Ｒは表示装置１００を見ながら演技を行い、スタッフがこれを撮影カメラ５０で撮影する。なお、本説明では、クロマキー処理によって表示装置１００の代わりに犬を合成し、かつ、背景に山の風景を合成した場合を想定して説明する。また、表示装置１００に対する点灯指示は、監督やスタッフ等が図示しない無線制御装置により行なうものとする。
【００８４】
撮影を開始すると、表示装置１００は、制御部３（図１参照）により、犬の目線に合わせて光源６（図２参照）を点灯させてリング状の点灯部１ａを表示する。その際、点灯部１ａを形成する光源６（図２参照）は、以下の２つのうちいずれかの方法で点灯する。
【００８５】
一つは、点灯部１ａを形成する光源６（図２参照）は、制御部３（図１参照）の指示に基づいて、撮影カメラ５０の非撮影期間のみ点灯するように間欠点灯する方法である。このように撮影カメラ５０の非撮影期間のみ間欠点灯した場合は、撮影カメラ５０で点灯部１ａが撮影されることがない。また、表示装置１００はブルーバック６０と同色の青色で形成されているため、表示装置１００はブルーバック６０と同化する。従って、クロマキー処理を行うことにより、表示装置１００も容易に除去することができ、撮影カメラで撮影した映像では、クロマキーバックとして撮影される。
【００８６】
もう一つは、点灯部１ａを形成する光源６（図２参照）が、制御部３（図１参照）により、ブルーバック６０と同色の青色の光をクロマキーバックと同色に検出される光量の範囲で照射する方法である。このようにブルーバック６０と同色の光を照射した場合は、その光がブルーバック６０と同化する。また、表示装置１００もブルーバック６０と同色の青色で形成されている。従って、クロマキー処理に悪影響を与えることなく適切に合成映像を作成することができる。
【００８７】
出演者Ｒは、前記したように光源６が間欠点灯あるいは常時点灯している点灯部１ａに視線を合わせながら、犬に対して、例えば「待て」の演技を行なう。撮影が終了すると、クロマキー処理により表示装置１００の代わりに犬を、背景に山の風景を合成する。
【００８８】
クロマキー処理が完了すると、図５（ｂ）に示すような映像となる。すなわち、同図に示すように、表示装置１００の代わりに、犬Ｓと、山の風景Ｔが合成される。従って、出演者Ｒは、視線を犬Ｓの目線に合わせることができ、自然でリアルな演技をすることができる。
【００８９】
また、光源６の点灯のオン／オフを繰り返して光源６を点滅状態とすることにより、例えば、合成される犬Ｓの映像が喜ぶタイミングを提示することができる、さらに、別の光源６を犬Ｓの動きに合わせて点灯させたりすることにより、犬Ｓが飛び上がって喜んでいる様子を提示することも可能となる。なおその際、出演者Ｒに対しては上記の点灯によって犬Ｓの様子が変化する旨を予め伝えておくことで、出演者Ｒの目線や演技がよりリアルなものとなる。
【００９０】
以下、図６を参照して本発明に係る表示装置１００の他の実施形態について説明する。
表示装置１０１は、図６（ａ）に示すように、筒状体１０が可撓性を有する素材で形成され、かつ、支持体として吊下支持体２０を用いたものである。このような表示装置１０１を用いることにより、合成される被写体が空中を飛行する場合や横方向に移動する場合でも、出演者Ｕが被写体の位置と動きの経路を目視で確認することができる。なお、表示装置１０１は、図示しない制御部を備えているが、その機能は前記した表示装置１００と同様であるため、説明を省略する。
【００９１】
筒状体１０は、透明なポリ塩化ビニル製等の可撓性を有するチューブに図示しない針金等を通し、内部に光源１０ａを埋め込んだものである。なお、図示は省略したが、筒状体１０は、前記した筒状体１と同様に、遮断部と透過部とのメッシュ構造に形成されている。従って、筒状体１０の遮断部は光源１０ａの光を遮断し、透過部はクロマキーバックと同色に検出される光量の照射となるように透過する。
【００９２】
吊下支持体２０は、筒状体１０を天井側に吊り下げるためのワイヤ状の部材である。吊下支持体２０の長さは、合成される被写体の高さに合わせて調整することができる。また、吊下支持体２０は、クロマキーバックと同じ色または透明色で形成されており、クロマキー処理で除去されるように構成されている。吊下支持体２０の内部には、前記した光源制御信号Ｐを伝達する信号ケーブルと、図示しない電源からの電流を伝達する電源ケーブルが埋設されている。但し、筒状体１０内に電池等の電源を設けることにより、電源ケーブルを省略することもできる。また、電源ケーブルが撮影カメラで撮影可能な位置にある場合は、クロマキーバックと同色で形成する。
【００９３】
この筒状体１０を、例えば合成される被写体である蝶が移動する経路に合わせて設置し、かつ、蝶が移動するスピードに合わせて光源１０ａを順に点灯させる。出演者Ｕは、順次点灯する光源１０ａに視線を合わせながら、蝶が飛行する姿を観察する演技を行なう。撮影が終了すると、クロマキー処理によって表示装置１０１の代わりに蝶Ｖを合成する。このように、表示装置１０１を用いることにより、出演者Ｕは合成される蝶Ｖに視線を合わせることができ、自然な演技を行なうことができる。
【００９４】
次に、図７を参照して、表示システム２００について説明する。本発明に係る表示システム２００は、表示装置１０２と、無線制御装置５を備えており、表示装置１０２の光源６の点灯及び消灯の制御をワイヤレスで行なうことを特徴としている。また、表示システム２００は、無線制御装置５内に情報提示制御部３０ａ、表示装置１０２内に間欠点灯制御部３０ｂが設けられている。なお、既に説明した構成については、同じ符号を付して説明を省略する。
【００９５】
無線制御装置５は、表示装置１０２に対して、光源６を点灯させるための指令であるワイヤレス信号を送信するためのものである。無線制御装置５は、図７に示すように、撮影現場のスタッフが手軽に扱えるように、小型の筐体とアンテナを有する構成とすることができる。無線制御装置５内には、情報提示制御部３０ａが設けられており、当該情報提示制御部３０ａには、図示しない無線送信部が設けられている。なお、図示しない無線送信部以外の構成は、前記した情報提示制御部３ａと同様である。そして、無線制御装置５は、撮影現場のスタッフの操作等によって、後記する表示装置１０２の間欠点灯制御部３０ｂの図示しない無線受信部に対して、ワイヤレスで情報提示制御信号Ｉを送信する。
【００９６】
表示装置１０２は、前記したように出演者に対して合成される被写体の位置情報を表示するものである。表示装置１０２内には、間欠点灯制御部３０ｂが設けられており、当該間欠点灯制御部３０ｂには、図示しない無線受信部が設けられている。なお、図示しない無線受信部以外の構成は、前記した間欠点灯制御部３ｂと同様である。そして、表示装置１０２は、無線制御装置５から送信された情報提示制御信号Ｉを受信して、光源６及び消影用ランプ２ｃを点灯または消灯する。
【００９７】
本発明に係る表示システム２００は、上記のようにワイヤレスで構成することにより、様々なケーブルが交差するとともに、多くの精密機器が用いられる撮影スタジオ内において、表示装置１０２の運用性を向上させるとともに、ケーブルと出演者またはカメラとの接触を防止することができるため、撮影時の安全性を向上させることができる。
【００９８】
本発明に係る表示装置及び表示システムは、以下のような変更を加えることも可能である。例えば、図１に示す筒状体１をスリガラスや曇りガラス等で構成し、内部に光源取付部材１ｂを設けずに光源６を軸方向に複数配置し、光源６から照射される光の光量を、クロマキーバックと同色に検出される光量に調整することもできる。なお、この場合は、各ＬＥＤ同士を十分に離して配置して、光が一体化しないように調整する必要がある。
【００９９】
図１，７では、筒状体１は円筒状に形成しているが、これをＴ字状、十字状、Ｙ字状、Ｌ字状に形成することもできる。このように、合成される被写体の形状に合わせて筒状体１の形状を変更することにより、様々な合成映像に本発明に係る表示装置を用いることができる。
【０１００】
図１，７では、車輪部２ｂは４つ取り付けられているが、これを３つ以下、あるいは５つ以上取り付けることも可能である。また、支持本体２ａ内に電動機を設け、車輪部２ｂを自走式に構成することもできる。
【０１０１】
図１，７では、支持本体２ａは先端が平面の四角錐状で形成されているが、これを半球状（ドーム状）、または円錐状に形成することもできる。支持本体２ａを半球状に形成することにより、支持本体２ａにより発生する影の面積を極力小さくすることができる。
【０１０２】
図２では、光源６は光源取付部材１ｂごとにそれぞれ４つずつ配置されているが、これを例えば８つずつ配置することも可能である。また、光源６には、ＬＥＤ以外にも面発光型の有機ＥＬを用いることもできる。
【０１０３】
本発明に係る表示装置１００は、間欠点灯をさせなくても例えばクロマキーバックと同じ青色の光を光源６で点灯させることにより、その光をクロマキーバックと同化させることができる。従ってこの場合、制御部３は、図４における垂直同期分離回路３１と、垂直同期生成回路３５を省略することができる。但し、このとき、消影用ランプ２ｃは常時点灯となる。
【０１０４】
本発明に係る表示装置１０１は、図６に示すように、天井から吊り下げられた構成を有しているが、前記した吊下支持体２０をクロマキーバックと同色で形成された床や机の上において使用することもできる。
【０１０５】
なお、前記した表示システム２００は、表示装置１０２の他の実施形態である表示装置１０１にも当然適用することができる。
【符号の説明】
【０１０６】
１          筒状体
１ａ        点灯部
１ｂ        光源取付部材
１ｄ        芯材
１ｅ        筒状本体
１ｆ        遮断部
１ｇ        透過部
２          支持体
２ａ        支持本体
２ｂ        車輪部
２ｃ        消影用ランプ
２ｄ        隙間
３          制御部
３ａ        情報提示制御部
３ｂ        間欠点灯制御部
４          光量調整装置
５          無線制御装置
６          光源
１０        筒状体
１０ａ      光源
２０        吊下支持体
３０ａ      情報提示制御部
３０ｂ      間欠点灯制御部
３１        垂直同期分離回路
３２        エンコーダ
３３        パラレルシリアル変換回路
３４        シリアルパラレル変換回路
３５        垂直同期生成回路
３６        デコーダ
３７        光源用ドライバ
３８        消影用ランプ用ドライバ
５０        撮影カメラ
６０        ブルーバック
１００      表示装置
１０１      表示装置
１０２      表示装置
２００      表示システム
Ｅ          同期信号
Ｆ          制御信号
Ｇ          垂直同期信号
Ｈ          点灯制御信号
Ｉ          情報提示制御信号
Ｊ          同期信号
Ｋ          点灯制御信号
Ｌ          垂直同期信号
Ｍ          点灯制御信号
Ｎ          消影用ランプ制御信号
Ｏ          光量調整信号
Ｐ          光源制御信号
Ｒ          出演者
Ｓ          犬
Ｔ          山の風景
Ｕ          出演者
Ｖ          蝶
Ｗ          影
【図１】
2011014972.tif 000003
【図２】
2011014972.tif 000004
【図３】
2011014972.tif 000005
【図４】
2011014972.tif 000006
【図５】
2011014972.tif 000007
【図６】
2011014972.tif 000008
【図７】
2011014972.tif 000009